(57)【要約】【要  約】【課  題】  画像品位を低下させず、かつ光の波長によらない光方向変換特性を有する光方向変換手段を実現でき、これを用いてさらに薄型で画像品位の高いリアプロジェクションディスプレイ光学系を構成できる、光波長無依存の光方向可変変換ユニットおよびこれを用いた薄型リアプロジェクションディスプレイ光学系を提供する。【解決手段】  正の焦点距離を有するアクロマティックレンズ４と負の焦点距離を有するアクロマティックレンズ５、あるいは正の焦点距離を有するアクロマティックレンズ同士を、それらの光軸が互いに略平行となりかつそれらの焦点距離の和と光軸方向の相対距離とが略一致するように配置してなる光偏向素子６の１個または２個以上の配列で構成した光方向可変変換ユニット５０である。また、該ユニットを系内に配設してなる薄型リアプロジェクションディスプレイ光学系である。【選択図】          図１
2006235403.tif 000002
【特許請求の範囲】
【請求項１】
正の焦点距離を有するアクロマティックレンズと負の焦点距離を有するアクロマティックレンズ、あるいは正の焦点距離を有するアクロマティックレンズ同士を、それらの光軸が互いに略平行となりかつそれらの焦点距離の和と光軸方向の相対距離とが略一致するように配置してなる１個または２個以上の光偏向素子を有する光波長無依存の光方向可変変換ユニット。
【請求項２】
前記光偏向素子が２個以上であり、それらが有するアクロマティックレンズの光軸が互いに略平行となるように、配置された請求項１記載の光波長無依存の光方向可変変換ユニット。
【請求項３】
前記光偏向素子が２個以上であり、それらが有するアクロマティックレンズの光軸のうち少なくとも１組が互いに傾いて配置された請求項１記載の光波長無依存の光方向可変変換ユニット。
【請求項４】
１枚以上のレンズ、球面反射板、非球面反射板のいずれか、あるいはこれら２種類以上を組み合わせた光学系に、画像表示素子からの光を入力してプロジェクタ光となし、これをそのまま、または１枚以上の平面反射板で正反射させた後、スクリーンに結像させるリアプロジェクションディスプレイ光学系において、前記プロジェクタ光の進行方向を変える手段として請求項１〜３のいずれかに記載の光方向可変変換ユニットが配設されてなることを特徴とする薄型リアプロジェクションディスプレイ光学系。
【発明の詳細な説明】
【技術分野】
【０００１】
本発明は、光波長無依存の光方向可変変換ユニットおよびこれを用いた薄型リアプロジェクションディスプレイ光学系に関する。
【背景技術】
【０００２】
ディスプレイ等において光の進行方向を変換する場合、表示画像の色ずれを防ぐために色収差が少ないことが重要となる。従来、光の進行方向を変換するためには、平面反射板（例えば非特許文献１）、またはプリズム（例えば非特許文献２）が用いられている。なお、レンズにおいては、光の波長により屈折率が異なる複数の透明媒体を用いることにより色収差の少ないアクロマティック(achromatic)レンズが実現されている（例えば非特許文献３）。
【０００３】
また、薄型リアプロジェクションディスプレイの光学系は、スクリーンに対してプロジェクタ光を急な角度から入射させることにより実現される。図６は従来のリアプロジェクションディスプレイ光学系の例を示す垂直断面図であり、（ａ）はプロジェクタ１とスクリーン２とからなるもの、（ｂ）はさらに光方向変換手段として平面反射板３を有するものである。図６（ａ）は図６（ｂ）の平面反射板３による光線の折れ曲がりを展開したものに相当する。図６（ａ）のようにスクリーン高さｈ、スクリーン上端へのプロジェクタ光入射角度θt、スクリーン下端へのプロジェクタ光入射角度θbである場合について、スクリーン２に対して平行に平面反射板３を配置し、光学系厚さＤをできるだけ小さくすることを考えると、θb＞０°である場合、図６（ｂ）に示すようにスクリーン２の上端と下端が平面反射板３に対して互いに正反射方向に位置するように平面反射板３を配置する必要があり、Ｄは次式(1)で表される。
【０００４】
【数１】
2006235403.tif 000003
【０００５】
なお、本明細書において、角度座標系は、図７に示すように、角度０°の基準軸を水平方向にとり、基準軸から反時計回りの角度を正、時計回りの角度を負とする。
このように、リアプロジェクションディスプレイの薄型化には、スクリーンに対して急な角度でプロジェクタ光を入射させ、θtを大きくすることが重要である。
【非特許文献１】光学技術ハンドブックハンドブック増補版（朝倉書店）ｐ．４４８
【非特許文献２】光学技術ハンドブックハンドブック増補版（朝倉書店）ｐ．９４２
【非特許文献３】光学技術ハンドブックハンドブック増補版（朝倉書店）ｐ．８２９
【発明の開示】
【発明が解決しようとする課題】
【０００６】
θtを大きくすることは、光方向変換手段によってプロジェクタ光の進行方向を大きく変えることによって実現される。しかし、光方向変換手段として従来の平面反射板を用いる場合、スクリーンに対して急な角度でプロジェクタ光を入射させるためには微細な平面反射板の集合体である鋸歯状の反射板を用いて正反射方向以外の方向に光の進行方向を変換する必要があり、そのため本来不必要な面の影響により画像品位が低下してしまうという問題を有する。
【０００７】
また、光方向変換手段として従来のプリズムを用いる場合、プリズムは屈折率が光の波長により変化する透明媒体により構成されるため、一般に色収差が発生するという問題を有する。また、レンズでは上述のように色収差の少ないアクロマティックレンズが実現されているが、プリズムではレンズと異なり界面が一般に平面であることから設計の自由度が低く、このため色収差の少ないアクロマティックプリズムの実現は非常に困難である。
【０００８】
そこで、本発明は、画像品位を低下させず、かつ光の波長によらない光方向変換特性を有する光方向変換手段を実現でき、これを用いてさらに薄型で画像品位の高いリアプロジェクションディスプレイ光学系を構成できる、光波長無依存の光方向可変変換ユニットおよびこれを用いた薄型リアプロジェクションディスプレイ光学系を提供することを目的とする。
【課題を解決するための手段】
【０００９】
本発明者らは、上記目的を達成するために鋭意考究した結果、複数枚のアクロマティックレンズを、それらの相対位置および焦点距離が特定の関係を満たすように配置することにより、光の波長によらない光方向変換特性を有する光方向可変変換ユニットが非常に簡便に構成できることを見出し、本発明をなした。
すなわち、本発明(1)は、正の焦点距離を有するアクロマティックレンズと負の焦点距離を有するアクロマティックレンズ、あるいは正の焦点距離を有するアクロマティックレンズ同士を、それらの光軸が互いに略平行となりかつそれらの焦点距離の和と光軸方向の相対距離とが略一致するように配置してなる１個または２個以上の光偏向素子を有する光波長無依存の光方向可変変換ユニットである。
【００１０】
本発明では、アクロマティックレンズは、単レンズ型、複合レンズ型のいずれであってもよい。また、本発明にいう「略一致」とは、±２０％の誤差範囲内で一致することを意味し、「略平行」とは、平行からのずれの角度が±５°以内であることを意味する。
また、本発明(2)は、前記光偏向素子が２個以上であり、それらが有するアクロマティックレンズの光軸が互いに略平行となるように、配置された本発明(1)の光波長無依存の光方向可変変換ユニットである。
【００１１】
また、本発明(3)は、前記光偏向素子が２個以上であり、それらが有するアクロマティックレンズの光軸のうち少なくとも１組が互いに傾いて配置された本発明(1)の光波長無依存の光方向可変変換ユニット表示素子である。
また、本発明(4)は、１枚以上のレンズ、球面反射板、非球面反射板のいずれか、あるいはこれら２種類以上を組み合わせた光学系に、画像表示素子からの光を入力してプロジェクタ光となし、これをそのまま、または１枚以上の平面反射板で正反射させた後、スクリーンに結像させるリアプロジェクションディスプレイ光学系において、前記プロジェクタ光の進行方向を変える手段として本発明(1)〜(3)のいずれかの光方向可変変換ユニットが配設されてなることを特徴とする薄型リアプロジェクションディスプレイ光学系である。
【発明の効果】
【００１２】
本発明によれば、正の焦点距離を有するアクロマティックレンズと負の焦点距離を有するアクロマティックレンズ、あるいは正の焦点距離を有するアクロマティックレンズ同士を、特定の相対位置関係の成立条件下に組み合わせることにより、色収差が小さく、光の入射方向と出射方向の関係が従来にない特異な形の光方向変換特性を発現し、該特性の変更も容易に行える、光方向変換手段が非常に簡便に構成できる。これを用いてプロジェクタ光の進行方向を変えることで、画像品位の高い薄型のリアプロジェクションディスプレイ光学系が得られる。
【発明を実施するための最良の形態】
【００１３】
本発明(1)の光方向可変変換ユニットは例えば図１に示すようなレンズ配置を有する。図１において、４は焦点距離ｆ（ｆ＞０）を有する単レンズ型のアクロマティックレンズ、５は焦点距離ｆ'（ｆ'＜０）を有する単レンズ型のアクロマティックレンズであり、これらのレンズで光偏向素子６が構成され、この光偏向素子６が光方向可変変換ユニット５０に備わっている。なお、アクロマティックレンズ４，５のいずれか一方または両方を単レンズ型に代えて複合レンズ型としてもよい。
【００１４】
アクロマティックレンズ４，５は、それらの光軸（レンズ中心軸）４Ａ、５Ａが距離ａを隔てて互いに平行となり、それらの光軸方向の相対距離ｄが、ｄ＝ｆ＋ｆ'となるように配置されている。
この光方向可変変換ユニット５０に入射角度θin、レンズ径方向の光幅ｂinで入射した平行光７は、平行光８となって出射し、その出射角度θout、レンズ径方向の光幅ｂoutは次式(2),(3)で与えられる。
【００１５】
【数２】
2006235403.tif 000004
【００１６】
式(2),(3)の導出原理を図２を用いて説明する。図２は、光軸がｚｙ直交座標平面内でｚ軸に平行とされた複数のレンズからなる光学系内のｎ番目とｎ＋１番目のレンズを示すレンズ配置図である。図示のように、ｎ番目のレンズ９の焦点距離がｆn、レンズ中心位置が(ｚn,ａn)、ｎ＋１番目のレンズ１０の焦点距離がｆn+1、レンズ中心位置が(ｚn+1,ａn+1)であり、これらのレンズを通過する光線１１の光がレンズ９の位置(ｚn,ｙn)へ入射角度θnで入射し、出射後レンズ１０の位置(ｚn+1,ｙn+1)へ入射角度θn+1（＝レンズ９からの出射角度）で入射し、出射角度θn+2（＝図示しないｎ＋２番目のレンズへの入射角度）で出射するものとすると、これら焦点距離、入射位置、入射角度の間には次式(4)の関係が成り立つ。なお、式(4)は光学系のレンズがアクロマティックレンズであるかないかにかかわらず成立する。
【００１７】
【数３】
2006235403.tif 000005
【００１８】
ただし、ｎ番目のレンズ半径ｒnが｜ｙn−ａn｜よりも小さい場合、光がレンズに入射しないため式(4)は成り立たない。
図１の光偏向素子６に式(4)を適用するため、式(4)においてｎ＝１として(ｚ1,ａ1)＝(０,０)、(ｚ2,ａ2)＝(ｄ,ａ)とおくと、θin＝θ1、θout＝θ3であるから、θ3はθ1を用いて次式(5)で表される。
【００１９】
【数４】
2006235403.tif 000006
【００２０】
光学系に入射した平行光が平行光として出射するためには、出射角度θ3が入射位置のｙ座標ｙ1に依存しないという条件を満たす必要がある。このことから式(5)のｙ1の項は０でなければならず、ｆ2に関する条件として次式(6)が得られる。
【００２１】
【数５】
2006235403.tif 000007
【００２２】
式(6)の条件を式(5)に入れｆ1をｆとすることで式(2)が得られる。また、式(3)のｂoutは、式(4)においてｎ＝１として(ｚ1,ａ1)＝(０,０)、(ｚ2,ａ2)＝(ｄ,ａ)とおき、ｙ1＝ξ(ξ:任意値)に対応するｙ2と、ｙ1＝ξ＋ｂinに対応するｙ2との差から求められる。
式(6)は入射光が平行光である場合に出射光を完全に平行にする条件であるが、一般的に平行光と呼ばれる光であっても５°程度のばらつきは存在する。そこで、ｙ軸方向の光入射位置最大値をｙt、最小値をｙb、(ｚ1,ａ1)＝(０,０)、(ｚ2,ａ2)＝(ｄ,ａ)とおくと、ｙ1＝ｙtの場合の出射角度θ3_tとｙ1＝ｙbの場合の出射角度θ3_bを用いてｆ1、ｆ2、ｄ、およびａに関する条件として以下の式が得られる。
【００２３】
【数６】
2006235403.tif 000008
【００２４】
ただし、式(7-3)中の角度はdegree表示である。
ここで、図１はｆ1（＝ｆ）＞０かつｆ2（＝ｆ'）＜０の場合であるが、ｆ1＜０かつｆ2＞０、あるいはｆ1＞０かつｆ2＞０の場合であっても式(4)が適用可能であるため同様の議論が成り立つ。また、図１では１番目と２番目のアクロマティックレンズが単レンズ型である場合の例を示したが、これに限らず、１番目と２番目の何れか一方または両方のアクロマティックレンズが複合レンズ型である場合でも、単レンズ型と同様に正または負の焦点距離をもつように設計することができるので、同様の議論が成り立つことはいうまでもない。
【００２５】
なお、図１では、アクロマティックレンズ４，５の光軸が平行で、かつそれらの焦点距離の和と光軸方向の相対距離が一致する理想的な場合を示したが、平行からのずれの角度が±５°以内（すなわち略平行）の場合や、焦点距離の和と相対距離との一致の誤差が±２０％以内（すなわち略一致）の場合であっても、従来に比べて高い画像品位が得られるので、略平行、略一致の場合も本発明に含むものとした。
【００２６】
次に、本発明(2)の光方向可変変換ユニットは例えば図３に示すようなレンズ配置を有する。図３において、４i（ｉ＝１，２）は焦点距離ｆ（ｆ＞０）を有する単レンズ型のアクロマティックレンズ、５iは焦点距離ｆ'（ｆ'＜０）を有する単レンズ型のアクロマティックレンズであり、アクロマティックレンズ４i、５iで光偏向素子６iが構成され、光偏向素子６1、６2が光方向可変変換ユニット５０に備わっている。なお、４枚のアクロマティックレンズ４1，５1，４2，５2のいずれか一つまたは二つ以上を単レンズ型に代えて複合レンズ型としてもよい。
【００２７】
同じ光偏向素子６i内のアクロマティックレンズ４i、５iは、それらの光軸４iＡ，５iＡが距離ａを隔てて互いに平行であり、それらの光軸方向の相対距離ｄが、ｄ＝ｆ＋ｆ'である。また、異なる光偏向素子６1，６2の一方に属するアクロマティックレンズの光軸４1Ａ，５1Ａと他方に属するアクロマティックレンズの光軸４2Ａ，５2Ａとは互いに平行である。光偏向素子６1、６2は、負の焦点距離を有するアクロマティックレンズ５1，５2が隣り合うように配置され、それらの光軸方向の相対距離がｄ2であり、正の焦点距離を有するアクロマティックレンズ同士の光軸４1Ａ，４2Ａ間距離がｃであるとする。
【００２８】
この光方向可変変換ユニット５０に入射角度θin、レンズ径方向の光幅ｂinで入射した平行光７は、平行光８となって出射し、その出射角度θout、レンズ径方向の光幅ｂoutは次式(8),(9)で与えられる。
【００２９】
【数７】
2006235403.tif 000009
【００３０】
式(8)は、式(4)の変数に図３の対応値（レンズの焦点距離、レンズの位置座標等）を代入することで導出される。式(9)は、この光方向可変変換ユニットが光ビーム径を保持しながら光の方向を変換しうるものであることを示している。
また、図３において、４枚のアクロマティックレンズ４１，５１，５２，４２の焦点距離をｆ，ｆ'，ｆ'，ｆに代えてそれぞれｆ１，ｆ２，ｆ３，ｆ４とし、これらの隣同士のレンズ相互間の光軸方向距離をｄ，ｄ２，ｄに代えてそれぞれｄ１，ｄ２，ｄ３とすれば、より一般的な配置形態となり、その形態において、次式(10-１)〜(10-3)が満足されるように変数の値を設定することにより、式(8)および(9)を成立させることができる。
【００３１】
【数８】
2006235403.tif 000010
【００３２】
また、本発明(2)の光方向可変変換ユニットは、図３のような２個の光偏向素子で構成した例に限定されるものではなく、３個以上の光偏向素子で構成することも可能である。
なお、図３では、光偏向素子６１，６2相互間でアクロマティックレンズの光軸が平行である理想的な場合を示したが、平行からのずれの角度が±５°以内（すなわち略平行）の場合であっても、従来に比べて高い画像品位が得られるので、略平行の場合も本発明に含むものとした。
【００３３】
図３では光偏向素子が正の焦点距離を有するアクロマティックレンズと負の焦点距離を有するアクロマティックレンズにより構成された場合について記述したが、式(10-1)〜(10-3)の条件を満たしていれば、本発明(1)と同様に正のアクロマティックレンズ同士の組み合わせにより光偏向素子を構成することも可能である。また、図３では負の焦点距離を有するアクロマティックレンズが隣り合うように配置された場合について記述したが、式(10-1)〜(10-3)の条件を満たしていれば、正のアクロマティックレンズが隣り合うように配置することによっても同様の効果が得られる。
【００３４】
次に、本発明(3)の光方向可変変換ユニットは、例えば図３に示すレンズ配置において、光偏向素子６1、６2が互いに傾いて光方向可変変換ユニット５０に備わっている。光偏向素子６1、６2間の光軸の傾きが大きい場合には光学系の収差が増大してしまうが、光軸の傾きが±１５°以内であるとき前述の本発明(2)における議論からのずれは小さく、光方向変換効果を得ることが可能である。さらに光学系を多段に連結して大きな光方向変換角度を得る場合において、本発明(3)は本発明(2)よりもレンズの光軸近傍を利用しているため収差を小さくすることができるという有用な特長を有する。
【００３５】
また、本発明(3)の光方向可変変換ユニットは、図３のような２個の光偏向素子で構成した例に限定されるものではなく、３個以上の光偏向素子で構成することも可能である。
図３では光偏向素子が正の焦点距離を有するアクロマティックレンズと負の焦点距離を有するアクロマティックレンズにより構成された場合について記述したが、本発明(2)と同様に正のアクロマティックレンズ同士の組み合わせにより光偏向素子を構成することも可能である。また、図３では負の焦点距離を有するアクロマティックレンズが隣り合うように配置された場合について記述したが、本発明(2)と同様に正のアクロマティックレンズが隣り合うように配置することによっても同様の効果が得られる。
【００３６】
次に、本発明(4)の光学系は、例えば図４に示すように、従来の光学系（図６）に本発明(1)〜(3)のいずれかの光方向可変変換ユニット５０を配置することで構成される。図４は、図６の従来例に光方向可変変換ユニット５０を付設したものであって、（ａ）は（ｂ）の平面反射板３による光線の折れ曲がりを展開したものに相当する。図４において、図６と同一または相当部材には同じ符号を付した。なお、本発明(4)にいう画像表示素子および該画像表示素子の出力光を通してプロジェクタ光となすレンズ、球面反射板、および非球面反射板等の光学素子は、プロジェクタ１に内蔵されている。
【００３７】
図４でのスクリーン上端へのプロジェクタ光入射角度θｔ'およびスクリーン下端へのプロジェクタ光入射角度θｂ’と図６でのそれら（θｔ，θｂ）との比較から明らかなように、θｔ'＞θｔおよびθｂ’＞θｂであるから、図４での光学系厚さＤ’は図６での光学系厚さＤよりも薄くなる。
ここで光方向可変変換ユニットにより収差が全く生じないことが望ましく、そのためには、光方向可変変換ユニットは、入射角度θinと出射角度θoutの関係が定数Ａ，Ｂを用いて次式(11)で表されるものが好ましい。
【００３８】
【数９】
2006235403.tif 000011
【００３９】
このとき、図５に示すように、ｘｚ座標系においてプロジェクタ光の出射位置を(０,０)、スクリーン面のｘ座標値をｘsとし、光方向可変変換ユニットがない図６の場合の投射画像の下端、上端の位置をそれぞれ（ｘs,ｚb）、（ｘs,ｚt）とし、光方向可変変換ユニットを配置した図４の場合の該ユニットの光方向変換面（例えば該ユニットの厚さ中心面；なお、厚さ方向は該ユニット内のレンズの光軸方向にとる）のｘ座標値をｘtとすると、図４の場合の投射画像の下端、上端のｚ座標値ｚb'、ｚt'はそれぞれ次式(12)，(13)で表される。
【００４０】
【数１０】
2006235403.tif 000012
【００４１】
ここで、式(12)、(13)がそれぞれｚb、ｚtの１次関数になっていることから、ｚbおよびｚtの変化に対してｚb'およびｚt'は線形に変化し、光方向可変変換ユニットを入れる前の画像と相似である、歪みのない画像が得られることがわかる。このとき投射画像の大きさは次式(14)で表され、とくにＡ＝１である場合、投射画像の大きさは光方向可変変換ユニットを配置する前と変わらない。
【００４２】
【数１１】
2006235403.tif 000013
【００４３】
なお、図４および図５では光方向可変変換ユニットが１個だけ配設された場合の例を示したが、２個以上配設された場合であっても同様の効果を得ることが可能であるから、本発明(4)は光方向可変変換ユニットが配設されたものである限りにおいて、その個数に特段の限定はない。
また、本発明(4)は、プロジェクタとスクリーンの間に、反射板および光方向可変変換ユニットを配置するだけでスクリーンに対するプロジェクタ光の投射角度を変化させることができるため、従来の様々な光学系に対して有用である。また、プロジェクタ内部に光方向可変変換ユニットを配置しても、スクリーンに対するプロジェクタ光の入射角度を変化させることができ、同様の効果を得ることが可能である。
【実施例】
【００４４】
実施例では、図８に示す光学系を構成した。この光学系は、図４に示したように平面反射板を用いて光の進路を折り返すことにより薄型となしうるから、薄型リアプロジェクションディスプレイ光学系に光学的等価なものである。図８の光学系は、プロジェクタ１、アクロマティックレンズＬ1（半径ｒ1、焦点距離ｆ1）、アクロマティックレンズＬ2（半径ｒ2、焦点距離ｆ2）、およびスクリーン２により構成されており、式(6)が成り立つ場合、式(12)をプロジェクタレンズ光軸とスクリーン面の交点に対して適用することにより、投射画像のシフト距離ｓはｌ×Ｂで表される。ここでＢの値は式(5)に式(6)を代入したものと式(11)との比較により、ａ/ｆ2と表される。
【００４５】
本例ではそれぞれｒ1＝２５ｍｍ、ｆ1＝１００ｍｍ、ｒ2＝１２．５ｍｍ、ｆ2＝−５０ｍｍ、ｄ＝５０ｍｍ、ａ＝−１２．５ｍｍ、ｌ＝２０００ｍｍとした。位置座標系はこれまでどおり紙面内上側、および右側が正である。ここでｆ1、ｆ2、およびｄの関係は式(6)を満たしているものであり、このときｓ＝ｌ×ａ/ｆ2＝５００ｍｍシフトした投射画像が観察され、かつ広い範囲において投射画像に歪みおよびボケがないことが確認された。さらに、レンズを保持するステージをマイクロメータにより稼動させａの値を変えることにより、ａと同軸反対方向に投射画像がシフトすることが確認された。
【産業上の利用可能性】
【００４６】
本発明は、リアプロジェクションディスプレイの設計・製造に利用することができる。
【図面の簡単な説明】
【００４７】
【図１】本発明(1)の光方向可変変換ユニットの例を示すレンズ配置図である。
【図２】光軸がｚｙ直交座標平面内でｚ軸に平行とされた複数のレンズからなる光学系内のｎ番目とｎ＋１番目のレンズを示すレンズ配置図である。
【図３】本発明(2)の光方向可変変換ユニットの例を示すレンズ配置図である。
【図４】本発明(4)のリアプロジェクションディスプレイ光学系の例を示す垂直断面図であり、（ａ）はプロジェクタとスクリーンとからなるもの、（ｂ）はさらに光方向可変変換手段として平面反射板を有するものである。
【図５】本発明(4)に用いる光方向可変変換ユニットの光方向変換特性が式(11)の関係を満たす場合についての説明図である。
【図６】従来のリアプロジェクションディスプレイ光学系の例を示す垂直断面図であり、（ａ）はプロジェクタとスクリーンとからなるもの、（ｂ）はさらに光方向変換手段として平面反射板を有するものである。
【図７】角度座標系の定義説明図である。
【図８】薄型リアプロジェクションディスプレイ光学系に光学的等価な実施例の光学系を示す模式図である。
【符号の説明】
【００４８】
１  プロジェクタ
２  スクリーン
３  平面反射板
４、５、４1、５1、４2、５2  アクロマティックレンズ
４Ａ、５Ａ、４1Ａ、５1Ａ、４2Ａ、５2Ａ、９Ａ、１０Ａ  光軸（レンズ中心軸）
６、６1、６2  光偏向素子
７、８  平行光
９  ｎ番目のレンズ
１０  ｎ＋１番目のレンズ
１１  光線
５０  光方向可変変換ユニット
【図１】
2006235403.tif 000014
【図２】
2006235403.tif 000015
【図３】
2006235403.tif 000016
【図４】
2006235403.tif 000017
【図５】
2006235403.tif 000018
【図６】
2006235403.tif 000019
【図７】
2006235403.tif 000020
【図８】
2006235403.tif 000021